(57)【要約】【課題】換気可能な靴中敷の構造を提供する。【解決手段】 靴形の輪郭に合わせる下靴申敷並びに下靴中敷の上方に粘着した通気層(布地または革)及び下靴中敷と通気層との間にあるスポンジからなり、下靴中敷を一体成型にする時、中央において靴形に沿い、一つの収納溝を窪めて設け、且その収納溝の周りに囲み枠を形成させてから収納溝に収納溝と輪郭が同じ、厚さが均等で、弾性も多孔性も通気性も有するスポンジを入れ、それから収納溝の周りの囲み枠によって、踵部及び前足部に其々数個の給気孔と排気孔を設けた通気層に貼り合わせる。【選択図】図１
0003127140.tif 000002
【実用新案登録請求の範囲】
【請求項１】
一種の換気可能な靴中敷の構造であり、主としては一つの通気層があり、 それは靴形に合わせる一枚の布地または革であり、その踵部及び前足部に数個の給気孔及び排気孔が設けてあり、一つの下靴中敷があり、それは靴形に合わせる一枚の可塑性材料であり、且一体成型にする時、その中央部に一つの周りに囲み枠のある収納溝を窪めて設け、一つのスポンジがあり、それは収納溝の輪郭の構造状態に合わせるスポンジであり、その厚さが均等でありながら弾性、多孔性、通気性など特性も有する材質であり、それらを以って、スポンジを下靴中敷の収納溝の中に入れて通気層を下靴中敷の収納溝の周りで形成する囲み枠と貼り合せて空気室を有する換気可能な靴中敷に組立てると、該靴中敷を靴内部に入れて靴を履いた人が歩行する時、連続に足を上げ下げする循環動作によって踵部の周りの冷気が前足部に入るように促し、靴内の前足部の周りの蒸れる空気を追い出して良好な除湿・排熱との効果を収めるものである。
【請求項２】
請求項1に述べたような換気可能な靴中敷の構造であり、その中において、収納溝を設けない下靴中敷と通気層との間に輪郭が下靴中敷よりやや小さく、厚さが均等になるスポンジを入れることができ、更に通気層と下靴中敷との間にあるスポンジの外周の囲み枠を貼り合わせ、スポンジによって靴申敷と通気層を突っ張って開けて一つの空気室に形成させ、通気層の踵部及び前足部に其々数個の給気孔と排気孔が設けてあるものである。
【請求項３】
請求項1に述べたような換気可能な靴中敷の構造であり、その中において、靴中敷を一体成型にする時、その収納溝の周りに囲み枠があり、且踵部及び前足部に其々数個の給気孔と排気孔を設けて上靴中敷とし、更に収納溝の部位に輪郭が同じ、厚さが均等であるスポンジを入れてから上靴中敷の囲み枠と収納溝のない下靴中敷とを一つの空気室に形成するように貼り合せ、該上靴中敷の上方には通気層を粘着し、通気層の踵部及び前足部に其々数個の給気孔と排気孔を設け、上靴中敷と通気層の給気孔と排気孔は其々空気室に通じ合うため、換気可能な靴中敷に組立てるのである。
【請求項４】
請求項1に述べたような換気可能な靴中敷の構造であり、その中において、収納溝を設けず、踵部及び前足部に其々数個の給気孔と排気孔を設けて上靴中敷とし、上靴中敷と収納溝のない下靴中敷との間に直接に一つ輪郭がやや上靴中敷より小さく、厚さが均等であるスポンジを入れ、更に上靴中敷と下靴中敷との間にあるスポンジの外周の囲み枠を貼り合せ、スポンジによって上靴中敷と下靴中敷を突っ張って開けて一つの空気室に形成させ、該上靴中敷の上方に通気層を粘着し、通気層の踵部及び前足部に其々数個の給気孔と排気孔が設けてあり、上靴中敷と通気層の給気孔と排気孔は其々空気室に通じ合うため、換気可能な靴中敷に組立てるのである。
【請求項５】
請求項1、2、3、4に述べたような換気可能な靴中敷の構造であり、その中において、通気層、または上靴中敷と下靴中敷との間にある、厚さが均等であるスポンジは土踏まず部から踵部へ延長する半分の切断体構造のスポンジに変更してもいいし、或いは前足部がより薄く、土踏まず部及び踵部がより厚いスポンジに変ってもよいものである。
【請求項６】
請求項1、2、3、4に述べたような換気可能な靴中敷の構造であり、その中において、通気層、または上靴中敷と下靴中敷との間にある、厚さが均等であるスポンジの上においては、空気室の空間を増やすには、土踏まず部に空気室を突っ張って開けられ、且土踏まずの窪みにも合わせるスポンジを増加して設置できるものである。
【請求項７】
請求項1から6に述べたような換気可能な靴中敷の構造であり、その中において、前記の構造の換気可能な靴中敷は引出式の自立体であっても直接に靴の中に固着する物であってもよいものである。
【考案の詳細な説明】
【技術分野】
【０００１】
一種の換気可能な靴申敷の構造であり、下靴中敷の中央部において周りに囲み枠のある収納溝を窪めて形成し、更に収納溝に、収納溝と輪郭が同じ、厚さが均等で弾性も多孔性も通気性も有するスポンジを入れ、それから収納溝の周りにある囲み枠において通気層と貼り合せると、空気室という空間になるようにスポンジの弾性により、通気層と下靴中敷との貼り合いで形成した空気室を突っ張って開けることができ、足底と接触する通気層においては踵部及び前足部に其々数個の給気孔及び排気孔を設け、それによって足の踏み動作に合わせて強制に送風させるため、靴内に良好な通風効果を維持するものを提供する。
【背景技術】
【０００２】
よって、気温が高くて湿っぽい気候の中に、靴の排気が悪いことで、靴を履いたまま歩行する時に発生した熱、汗を排除しにくくなったりして長時間靴を履くと不快感をもたらし、足から臭気を生じさせる他、更に徽菌を増殖させて水虫の疾患になりやすいため、湿気、熱気との問題を解決することは靴業者にとって研究改善における重要な課題になり、しかしながら目下靴の通風性をする構造には、靴中敷の方には換気機能付きの靴中敷があり、例えば米国特許番号4215492、公開日08.05.1980及び米国特許番号5010661、公開日05.30.1991及び米国特許番号5333397、公開日08.02.1994の三つは何れも踵部にエアバッグを取り付けたものであるが、其々工アバッグの取付け方が違っているし、且踵部或いは踵の後の縁に給気口を設置し、前足部或いは足の指部に排気口を設置し、エアバッグになる弾性材によって、人体が歩行する時、連続に足を上げ下げする循環動作により、踵部の周りの冷気が前足部に入るように促すため、靴内の前足部の周りに溜まる蒸れる空気を追い出して靴内に通風と熱発散との効果を収めたものである。唯、この種の製品は開けられた空気室が大きくならないため、その空気の容量が制限されたものになり、もしも空気の容量を増やすには、靴中敷の踵部の厚さを増やさなければならないため、一般の靴には不適になる。又、米国特許番号4224746、公開日09.30.1980のものでは、この種の換気可能な靴中敷とは、主としてはエアバッグ及びエアバッグの周りにある支持体からなり、エアバッグの構造では、弾，性で多孔性のあるスポンジ類を利用して、スポンジの外を気体漏れないプラスチックの薄膜で包んで、エアバッグの踵部の後の縁に給気口を設置し、足の指部に排気口を設置し、エアバッグの周りをエアバッグの支持体としてもう一種の、隙間のより小さく、密度のより高いスポンジで囲み、この種の靴中敷のエアバッグが中敷の一部の体積を占めるため、空気容量がより少なく、エアバッグの踵部の後の縁に給気口を設置したため、人体が歩行する時、足を上げ下げする度、給気口が踵に覆われていないため、一部の空気が給気口から逃れてエアバッグ内部の空気が有効に前足部に入ることができなくなり、エアバッグ及びその周りにある支持体は別々に造られるし、且密度も違った、スポンジに類似した材料を使用したことで、要は靴中敷とは其々寸法が違ってくるため、組立に難度を増した。
【０００３】
前記の資料のように、改善を提出し、違った方式で軽薄且大きい空気容量、高い換気効果のある、各種類の靴に適用される靴中敷を組立てるのである。
従って本考案人は積極的に研究開発をし、設計に励んで、期間中何回もの試作及び修正を経てやっと大幅にその実用効果を増進できる本考案の「換気可能な靴中敷の構造」の開発に成功を収めた。
【特許文献１】米国特許番号4215492号
【特許文献２】米国特許番号5010661号
【特許文献３】米国特許番号5333397号
【特許文献４】米国特許番号4224746号
【考案の開示】
【課題を解決するための手段】
【０００４】
本考案の第一の目的とは、一種の換気可能な靴中敷の構造を提供することにあり、その中において、本考案は可塑性材料の下靴中敷の中央部に一つの周りに囲み枠のある収納溝を窪めて設けて、更に収納溝に一つの輪郭が同じ、厚さが均等で、弾性、多孔性、通気性を有するスポンジを入れて、収納溝の周りの囲み枠において通気層と貼り合せると、スポンジの弾性によって通気層と下靴中敷を突っ張って開けて空気室に形成でき、足底と接触する通気層において、踵部及び前足部に其々数個の給気孔と排気孔を設けて、それによって靴を履いた人が歩行する時に足の踏み動作に合わせて強制に踵の周りにある冷気を前足部へ送って靴内部にいつでも冷気が流通できるようになる。
【０００５】
本考案の第二目的とは、一種の換気可能な靴中敷の構造を提供すること にあり、その中において、本考案は構造の部品が簡単であり、他のような応用部品例えばワンウエ一エアバルブ、送気管などがなく、靴中敷本体そのままエアバッグに形成でき、靴中敷がとても軽薄で且空気の容量も大きいため、使用時、排気量が大きくて快適という目的に達成できる。
【０００６】
本考案の第三目的とは、一種の換気可能な靴中敷の構造を提供することにあり、その中において、本考案の下靴中敷とは一体成型のものであり、制作上工数も材料も節約できるため、コストダウンとの経済効果に達することができる。
【０００７】
本考案の第四目的とは、一種の換気可能な靴中敷の構造を提供することにあり、その中において、本考案で泣通気層の下にスポンジがあるため、通気層が通気しやすく、吸汗できるようになり、足底と通気層との接触する部分では踏み動作による上下空気の対流が発生し、通気層の踵部と前足部には其々設けた数個の給気孔と排気孔と合わせて靴を履いた人の踏み動作で踵部の周りの冷気が前足部に入ることができるため、一層足底の蒸れる空気を排出しやすくする実用効果がある。
【考案を実施するための最良の形態】
【０００８】
以下は本考案の構造における実施及び使用例につき、更に図示と合わせて次のように説明いたします。まず図1、図l一A、図2及び図3を参考してください。本考案では、主として靴中敷を一体成型する時、その中央に靴形に沿い、一つの収納溝21を窪めて設けてそのまま下靴中敷2にし、且その収納溝21の周りを囲み枠22に形成させ、それから収納溝21に輪郭が同じ、弾性、多孔性、通気性のあるスポンジ4を置き、該スポンジ4とは弾性、多孔性、通気性を持ち、違った材質で造られる物品であり、また収納溝21の周りからなる囲み枠22により、踵部Pl及び前足部P2に設けた数個の給気孔31と排気孔32のある通気層3と貼り合せ、更に通気層3と下靴中敷2の周りからなる囲み枠22とを組立てて一つの空気室Sに形成できる換気可能な靴中敷である。
【０００９】
そして前記に述べた類似の組立方法は図l一Aを参考してください。しかしその中に下靴中敷2Aとは収納溝を設けない型式であり、その代わり、一つ輪郭が下靴中敷2Aよりやや小さく、厚さが均等であるスポンジ4を入れ、更に通気層3と下靴中敷2Aとの間にあるスポンジ4の外周の囲み枠22Aとを粘着し、通気層3においては、踵部Pl及び前足部P2に其々数個の給気孔31と排気孔32が設けてあり、スポンジ4によって通気層3と下靴中敷2Aを突っ張って開けて一つの空気室を形成する換気可能な靴中敷である。
【００１０】
靴を履いた人が歩行する時、足部Pを下げるとその踵部Plが先に下へ押さえることになり、踵部Plが通気層3の給気孔31を覆い、更に空気室Sの内部を充満した空気Aが押さえられると、通気層3の排気孔32から送り出され、踵部の周りの冷気が前足部P2に入り、靴内の前足部P2に溜まった蒸れる空気を追い出して良好な通風・熱発散という効果を実現させるものであり(図2のようになる)、足部Pを上げると、その前足部P2が排出孔32を押さえて踵部Plが先に地面から離れると靴中敷のスポンジ4の弾，性により復帰し、空気室5を突っ張って開けることができ、その同時に通気層3の給気孔31から外界の空気Aを吸い入れて空気室内部では絶えずに飽和の新鮮な空気が生じるため、靴5内部において連続的な換気が行われる (図3のようになる)。
【００１１】
図4に示したように、本考案では一体成型する時、底面の中央において靴形に沿い、周りに囲み枠62のある収納溝61を窪めて設け、且踵部P1及び前足部P2も其々数個の給気孔63と排気孔64を設けて上靴中敷6にし、更に収納溝61に輪郭が同じ、厚さが均等であるスポンジ4を入れて上靴中敷6の囲み枠62と収納溝のない下靴中敷2Aとを貼り合せて一つの空気室Sに形成し、該上靴中敷6と足底との接触した上方には通気層3を粘着し、通気層3においては踵部Pl及び前足部P2に其々数個の給気7L31(給気孔63、31が上下相対になり空気室5と相通している)と排気孔32(排気孔64、32が上下相対になり空気室Sと相通している)が設けてあり、それによって換気可能な靴中敷を組立てるものである。
【００１２】
図4Aに示したように、本考案では収納溝を設置しない靴形の中敷を使ってもよく、且踵部Pl及び前足部P2に其々数個の給気7L63Aと排気7L64Aを設けて上靴中敷6Aにし、またその底面に輪郭が上靴中敷6Aよりやや小さく、厚さが均等であるスポンジ4を貼り合せて、上靴中敷6Aと下靴中敷2Aとの間にあるスポンジの外周の囲み枠62Aとを貼り合せて一つの空気室Sに形成させ、該上靴中敷6Aと足底との接触した上方には通気層3を粘着し、通気層3においては踵部Pl及び前足部P2に其々数個の給気7L31(給気孔63A、31が上下相対になり空気室5と相通している)と排気7L32(排気孔64A、32が上下相対になり空気室Sと相通している)が設けてあり、それによって換気可能な靴中敷を組立てるものである。
【００１３】
また図5、図6及び図7を参考して下さい。本考案では一体成型の下靴中敷2を使い、それは中央において靴形に沿い、収納溝21を窪めて設けて周りに囲み枠22を有する中敷であってもよい一方、或いは収納溝に形成しない下靴中敷2Aであってもよく、収納溝21に輪郭が同じであるスポンジ4を入れて、該スポンジ4とは厚さが均等である構造のものであり、またスポンジ4の上において土踏まず部に空気室を突っ張って開ける可能で且土踏まず部P3に合うスポンジ4Aを設けると、空気室の空間が増加でき、それによって通気層3と下靴中敷2とを貼り合せて一つの空気室に形成する換気可能な靴中敷 (図5のようになる)であり、そして本考案では、中央に靴形に沿い、収納溝21を窪めて設けて周りに囲み枠22のある下靴中敷2または収納溝を形成しないもう一つの下靴申敷2Aを利用して、収納溝21に土踏まず部P3から踵部Plへ延長する半分の切断体構造のスポンジ4Bを粘着し、それによって通気層3 と下靴中敷2の囲み枠22とを貼り合せて一つの空気室に形成できる換気可能な靴中敷(図6のようになる)であり、そして本考案では、中央に靴形に沿い、収納溝21を窪めて設けて周りに囲み枠22のある下靴中敷2または収納溝を形成しない下靴中敷2Aを利用して、収納溝21に輪郭が同じであるスポンジ4Cを入れて、且該スポンジ4Cを前足部P2がより薄く、土踏まず部P3及び踵部Plがより厚い構造にし、それによって通気層3と下靴申敷2とを貼り合せて一つの空気室に形成できる換気可能な靴中敷 (図7のようになる)である。
【図面の簡単な説明】
【００１４】
【図１】本考案の換気可能な靴中敷の構造における立体分解図である。
【図１Ａ】本考案の換気可能な靴中敷の構造においてその下靴申敷は収納溝がない場合 の立体分解図である。
【図２】本考案の換気可能な靴中敷において靴内に足底が踏む時、重量が踵部に状態のイメ一ジ図である。
【図３】本考案の換気可能な靴中敷において靴内に足を上げて踵部が地面から離れる時、重量が前足部にかかる状態のイメ一ジ図である。
【図４】本考案の換気可能な靴中敷のもう一つの構造における立体分解図である。
【図４Ａ】本考案の換気可能な靴中敷のもう一つの構造においてその上靴中敷は収納溝がない場合の立体分解図である。
【図５】本考案の換気可能な靴中敷の第三種の構造における立体分解図である。
【図６】本考案の換気可能な靴中敷の第四種の構造における立体分解図である。
【図７】本考案の換気可能な靴中敷の第五種の構造における立体分解図である。
【符号の説明】
【００１５】
２  下靴中敷
２Ａ  下靴中敷
２１  収納溝
２２  囲み枠
２２Ａ  囲み枠
３    通気層
３１  給気孔
３２  排気孔
４    スポンジ
４Ａ  スポンジ
４Ｂ  スポンジ
４Ｃ  スポンジ
５    靴
６    上靴中敷
６Ａ  上靴中敷
６１  収納溝
６２  囲み枠
６２Ａ  囲み枠
６３  給気
６３Ａ  給気孔
６４  排気孔
６４Ａ  排気孔
Ａ    空気
Ｐ  足部
Ｐ１  踵部
Ｐ２  前足部
Ｐ３  土踏まず部
Ｓ    空気室
【図１】
0003127140.tif 000003
【図１Ａ】
0003127140.tif 000004
【図２】
0003127140.tif 000005
【図３】
0003127140.tif 000006
【図４】
0003127140.tif 000007
【図４Ａ】
0003127140.tif 000008
【図５】
0003127140.tif 000009
【図６】
0003127140.tif 000010
【図７】
0003127140.tif 000011
【手続補正書】
【提出日】平成18年9月26日(2006.9.26)
【手続補正１】
【補正対象書類名】実用新案登録請求の範囲
【補正対象項目名】全文
【補正方法】変更
【補正の内容】
【実用新案登録請求の範囲】
【請求項１】
主として、一つの通気層があり、
それは靴形に合わせる一枚の布地または革であり、その踵部及び前足部に数個の給気孔及び排気孔が設けてあり、一つの下靴中敷があり、それは靴形に合わせる一枚の可塑性材料であり、且一体成型にする時、その中央部に一つの周りに囲み枠のある収納溝を窪めて設け、一つのスポンジがあり、それは収納溝の輪郭の構造状態に合わせるスポンジであり、その厚さが均等でありながら弾性、多孔性、通気性など特性も有する材質であり、それらを以って、スポンジを下靴中敷の収納溝の中に入れて通気層を下靴中敷の収納溝の周りで形成する囲み枠と貼り合せて空気室を有する換気可能な靴中敷に組立てると、該靴中敷を靴内部に入れて靴を履いた人が歩行する時、連続に足を上げ下げする循環動作によって踵部の周りの冷気が前足部に入るように促し、靴内の前足部の周りの蒸れる空気を追い出して良好な除湿・排熱との効果を収めることを特徴とする換気可能な靴中敷の構造。
【請求項２】
上記収納溝を設けない下靴中敷と通気層との間に輪郭が下靴中敷よりやや小さく、厚さが均等になるスポンジを入れることができ、更に通気層と下靴中敷との間にあるスポンジの外周の囲み枠を貼り合わせ、スポンジによって靴申敷と通気層を突っ張って開けて一つの空気室に形成させ、通気層の踵部及び前足部に其々数個の給気孔と排気孔が設けてあることを特徴とする請求項1に記載の換気可能な靴中敷の構造。
【請求項３】
上記靴中敷を一体成型にする時、その収納溝の周りに囲み枠があり、且踵部及び前足部に其々数個の給気孔と排気孔を設けて上靴中敷とし、更に収納溝の部位に輪郭が同じ、厚さが均等であるスポンジを入れてから上靴中敷の囲み枠と収納溝のない下靴中敷とを一つの空気室に形成するように貼り合せ、該上靴中敷の上方には通気層を粘着し、通気層の踵部及び前足部に其々数個の給気孔と排気孔を設け、上靴中敷と通気層の給気孔と排気孔は其々空気室に通じ合うため、換気可能な靴中敷に組立てることを特徴とする請求項1に記載の換気可能な靴中敷の構造。
【請求項４】
上記収納溝を設けず、踵部及び前足部に其々数個の給気孔と排気孔を設けて上靴中敷とし、上靴中敷と収納溝のない下靴中敷との間に直接に一つ輪郭がやや上靴中敷より小さく、厚さが均等であるスポンジを入れ、更に上靴中敷と下靴中敷との間にあるスポンジの外周の囲み枠を貼り合せ、スポンジによって上靴中敷と下靴中敷を突っ張って開けて一つの空気室に形成させ、該上靴中敷の上方に通気層を粘着し、通気層の踵部及び前足部に其々数個の給気孔と排気孔が設けてあり、上靴中敷と通気層の給気孔と排気孔は其々空気室に通じ合うため、換気可能な靴中敷に組立てることを特徴とする請求項1に記載の換気可能な靴中敷の構造。
【請求項５】
上記通気層、または上靴中敷と下靴中敷との間にある、厚さが均等であるスポンジは土踏まず部から踵部へ延長する半分の切断体構造のスポンジに変更してもいいし、或いは前足部がより薄く、土踏まず部及び踵部がより厚いスポンジに変えてもよいことを特徴とする請求項1〜4のいずれか一項に記載の換気可能な靴中敷の構造。
【請求項６】
上記通気層、または上靴中敷と下靴中敷との間にある、厚さが均等であるスポンジの上においては、空気室の空間を増やすには、土踏まず部に空気室を突っ張って開けられ、且土踏まずの窪みにも合わせるスポンジを増加して設置できることを特徴とする請求項1〜4のいずれか一項に記載の換気可能な靴中敷の構造。
【請求項７】
引出式の自立体であっても直接に靴の中に固着する物であってもよいことを特徴とする請求項1〜6のいずれか一項に記載の換気可能な靴中敷の構造。